【事件の表示】
　平成１０年特許願第１１１５１６号「無線選択呼出受信機」拒絶査定不服審判事件〔平成１１年１０月２９日出願公開、特開平１１−２９８９３５〕について、次のとおり審決する。
【結　論】
　本件審判の請求は、成り立たない。
【理　由】
１．手続の経緯・本願発明
　本願は、平成１０年４月６日の出願であって、その請求項１に係る発明は、手続補正書により補正された明細書及び図面の記載からみて、その特許請求の範囲の請求項１に記載されたとおりの以下の事項により特定されるものである。（以下、「本願発明」という。）
「受信メッセージを表示する表示部と、前記表示部を駆動する制御部と、電池の電圧を昇圧するＤＣ／ＤＣコンバータとを含み、少なくとも前記制御部は前記ＤＣ／ＤＣコンバータが出力する電圧を電源として動作する無線選択呼出受信機であって、
　前記ＤＣ／ＤＣコンバータは与えられた制御信号にもとづき第１の電圧および前記第１の電圧より高い第２の電圧を切り替えて出力し、
　メッセージを受信したことを検出する受信検出手段と、
　前記制御信号を出力して前記ＤＣ／ＤＣコンバータを制御し、常時は前記ＤＣ／ＤＣコンバータに前記第１の電圧を出力させ、前記受信検出手段がメッセージを受信したことを検出したときは、一定時間、前記ＤＣ／ＤＣコンバータに前記第２の電圧を出力させる電圧制御手段と、
　経過時間を計測する計時手段とを備え、
　前記電圧制御手段は、前記計時手段による計測結果にもとづいて一定時間、前記ＤＣ／ＤＣコンバータに前記第２の電圧を出力させることを特徴とする無線選択呼出受信機。」
　
２．刊行物記載の発明
（１）これに対して、原査定の拒絶の理由に引用された刊行物１（特開平７−１４３０５０号公報）には、以下の事項が記載されている。
ア．「【請求項１】電源用の電池と、この電池の出力電圧を予め定められた第１又は第２の動作保証電圧に変換して内部に供給するＤＣ／ＤＣコンバータ部と、前記第１の動作保証電圧で動作を行う第１の回路群と、前記第１の動作保証電圧より高い第２の動作保証電圧で動作を行う第２の回路群と、前記第１の動作保証電圧で動作し前記第１及び第２の回路群を制御する制御部とを備え、前記ＤＣ／ＤＣコンバータ部は、前記第２の回路群の動作の開始から終了の期間前記制御部の制御信号によって前記出力電圧の変換を前記第１の動作保証電圧から前記第２の動作保証電圧に切換えられる切換手段を有することを特徴とする個別選択呼出受信機。」
　
イ．「【産業上の利用分野】本発明は個別選択呼出受信機に関し、特にＤＣ／ＤＣコンバータを有する個別選択呼出受信機に関する。」
　
ウ．「【発明が解決しようとする課題】この従来の個別選択呼出受信機では、図６において、軽負荷荷用のＤＣ−ＤＣコンバータ３の出力電圧は、その負荷回路群内の最も動作電圧の高い素子の動作電圧に予め合わせる必要があり、そのために動作していない状態での消費電流が必要以上に増加しているという問題点がある。」
　
エ．「【課題を解決するための手段】本発明の個別選択呼出受信機は、電源用の電池と、この電池の出力電圧を予め定められた第１又は第２の動作保証電圧に変換して内部に供給するＤＣ／ＤＣコンバータ部と、前記第１の動作保証電圧で動作を行う第１の回路群と、前記第１の動作保証電圧より高い第２の動作保証電圧で動作を行う第２の回路群と、前記第１の動作保証電圧で動作し前記第１及び第２の回路群を制御する制御部とを備え、前記ＤＣ／ＤＣコンバータ部は、前記第２の回路群の動作の開始から終了の期間前記制御部の制御信号によって前記出力電圧の変換を前記第１の動作保証電圧から前記第２の動作保証電圧に切換えられる切換手段を有し、前記第１の回路群は自己の呼出番号を記憶しているＲＯＭを含み、前記第２の回路群は受信したメッセージを記憶するＲＡＭを有している。」
　
オ．「【発明の効果】以上説明したように本発明は、電源用の電池と、この電池の出力電圧を予め定められた第１又は第２の動作保証電圧に変換して内部に供給するＤＣ／ＤＣコンバータ部と、第１の動作保証電圧で動作を行う第１の回路群と、第１の動作保証電圧より高い第２の動作保証電圧で動作を行う第２の回路群と、第１の動作保証電圧で動作し第１及び第２の回路群を制御する制御部を備え、ＤＣ／ＤＣコンバータ部は、第２の回路群の動作の開始から終了の期間制御部の制御信号によって出力電圧の変換を第１の動作保証電圧から第２の動作保証電圧に切換えられる切換手段を有することによって、ＤＣ／ＤＣコンバータ部の出力電圧を常時動作はしない動作電圧の高い素子を有する第２の回路群の動作電圧にあわせる必要がなく、基地局からの送信信号の待受状態における定常状態の消費電流を低減することができる効果がある。」
　
カ．「【００１３】図１において、本第１の実施例の個別選択呼出受信機は、電池（以下ＢＡ）１０１と、電源スイッチ（ＳＷ）１２４と、ＢＡ１０１を予め定められた第１の動作保証電圧ＶＡ　又は第２の動作保証電圧ＶＢ（ＶＢ＞ＶＡ）に変換して本第１の実施例の内部に供給するＤＣ／ＤＣコンバータ部１００と、ＢＡ１０１の直接の電圧で動作を行い基地局（図示省略）からの無線信号をアンテナ（ＡＮＴ）１１７を介して受信して波形整形する無線部１１８と、無線部１１８からの信号をデコードするデコーダ（ＤＥＣ）１１９と、ＤＥＣ１１９からのデコードされた信号によって内部を制御する制御部（ＣＰＵ）１２０と、受信信号を表示するＬＣＤ１２１と、自己呼出番号を記憶しているＲＯＭ１２２と、受信したデータを記憶するＲＡＭ１２３とを備え、ＤＣ／ＤＣコンバータ部１００は、二次側の一端をＢＡ１０１の出力端に一次側の一端を地気に接続する昇圧及び発振用のトランス（Ｔ）１０２と、このＴ１０２の一次側の他端と直列に接続する発振用の抵抗（Ｒ）１０３及びコンデンサ（Ｃ）１０４と、ベースをＣ１０４の他端にコレクタをＴ１０２の二次側の他端にエミッタを地気に接続するスイッチング用のトランジスタ（ＴＲ）１０５と、アノードをＴＲ１０５のコレクタに接続する整流用のダイオード（Ｄ）１０６と、一端をＤ１０６のカソード側に他端を地気に接続する平滑用のＣ１０７と、コレクタをＴＲ１０５のベースにエミッタをＢＡ１０１の出力端に接続する制御用のＴＲ１０８と、エミッタをＤ１０６のカソード側にコレクタをＴＲ１０８のベースに接続する制御用のＴＲ１０９と、一端をＴＲ１０９のコレクタに他端を地気に接続するバイアス用のＲ１１０と、ＴＲ１０９のエミッタとコレクタ間を接続するノイズカット用のＣ１１１と、カソード側をＴＲ１０９のコレクタにアノード側を地気に接続する出力電圧決定用のツェナーダイオード（ＺＤ）１１５と、エミッタをＤ１０６のカソードにベースをＣＰＵ１２０からの制御信号の出力端に接続する変換電圧切換用のＴＲ１１２と、一端をＴＲ１１２のエミッタに他端をＺＤ１１５のカソードに接続する第１の動作保証電圧ＶＡ　発生のための第１のツェナー電流決定用のＲ１１３と、一端をＴＲ１１２のコレクタに他端を前記ＺＤ１１５のカソードに接続する第２の動作保証電圧発生ＶＢ　のための第２のツェナー電流決定用の第４の抵抗とを有し、Ｄ１０６のカソード側から内部へ変換電圧ＶＡ又はＶＢを供給する構成となっている。」
　
キ．「【００１４】尚、本第１の実施例においては、呼出信号の待受状態では、ＤＥＣ１１９，ＣＰＵ１２０，ＬＣＤ１２１，ＲＯＭ１２２及びＲＡＭ１２３は第１の動作保証電圧（ＶＡ）で動作し、ＲＡＭ１２３のデータの書込み及び読出し時には、ＲＡＭ１２３に第２の保証電圧（ＶＢ：ＶＢ＞ＶＡ）が必要となるので、無線部１１８以外は全て第２の保証電圧（ＶＢ）で動作するものとする。」
　
ク．「【００２１】次に、ＣＰＵ１２０は無線部１１８が基地局からの送信信号を受信したことを検出すると（Ｓ３）、同期あわせを行うと共に、送信信号の予め定められたフォーマットの中の呼出番号が自己の呼出番号であるかどうかのチェックを行い（Ｓ４）、自己の呼出番号であることを確認すると、ＲＡＭ１２３に受信するメッセージの記憶のために、ＲＡＭ１２３の書込み動作に必要な第２の動作保証電圧ＶＢを出力すべく、ＴＲ１１２に対し制御信号を送出する（Ｓ５）。」
　
ケ．「【００２５】これらの動作を繰り返しＤＣ／ＤＣコンバータ部１００の出力電圧はＴＲ１１２の動作以前のＶＡよりも高い予め設定されたＶＢ　となる（図４参照）。
【００２６】次に、ＣＰＵ１２０はＤＣ／ＤＣコンバータ部１００の出力電圧変化のために必要な時間ｔ秒が経過した後（Ｓ６）、受信したメッセージをＲＡＭ１２３に書込んで格納する（Ｓ７，Ｓ８）。」
　
コ．「【００２７】基地局からの送信信号がなくなり、無線部１１８がノイズの受信状態になると、ＣＰＵ１２０は基地局との同期はずしを行い、ＴＲ１１２への制御信号の送信を停止する（Ｓ９）。この結果、ＴＲ１１２の動作は復旧し、ＤＣ／ＤＣコンバータ部１００の出力電圧はＴＲ１１２の動作以前の第１の動作保証電圧ＶＡ　に戻る。又、無線部１１８はＢＡ１０１の出力電圧によるバッテリセービング動作ＢＳを継続し、ＣＰＵ１２０は基地局からの送信信号の待受状態となる。」
　
　上記ア．〜オ．の事項を参照すると、刊行物１には、
　電源用の電池と、この電池の出力電圧を予め定められた第１又は第２の動作保証電圧に変換して内部に供給するＤＣ／ＤＣコンバータ部と、前記第１の動作保証電圧で動作を行う第１の回路群と、前記第１の動作保証電圧より高い第２の動作保証電圧で動作を行う第２の回路群と、前記第１の動作保証電圧で動作し前記第１及び第２の回路群を制御する制御部とを備え、前記ＤＣ／ＤＣコンバータ部は、前記第２の回路群の動作の開始から終了の期間前記制御部の制御信号によって前記出力電圧の変換を前記第１の動作保証電圧から前記第２の動作保証電圧に切換えられる切換手段を有することを特徴とする個別選択呼出受信機が記載されている。
　
　また、上記カ．〜コ．の事項を参照すると、刊行物１には、
　受信信号を表示するＬＣＤ１２１と、無線部１１８からの信号をデコードするデコーダ（ＤＥＣ）１１９からのデコードされた信号によって内部を制御する制御部（ＣＰＵ）１２０と、電池（ＢＡ）１０１の電圧を予め定められた第１の動作保証電圧ＶＡ又は第２の動作保証電圧ＶＢ（ＶＢ＞ＶＡ）に変換して内部に供給するＤＣ／ＤＣコンバータ部１００とを含み、前記内部を制御する制御部（ＣＰＵ）１２０は前記ＤＣ／ＤＣコンバータ部１００が出力する電圧を電源として動作する個別選択呼出受信機であって、
　前記ＤＣ／ＤＣコンバータ部１００は、ＣＰＵ１２０からの制御信号の出力端に接続された変換電圧切換用のＴＲ１１２と、一端をＴＲ１１２のエミッタに他端をＺＤ１１５のカソードに接続する第１の動作保証電圧ＶＡ　発生のための第１のツェナー電流決定用のＲ１１３と、一端をＴＲ１１２のコレクタに他端を前記ＺＤ１１５のカソードに接続する第２の動作保証電圧発生ＶＢ　のための第２のツェナー電流決定用の第４の抵抗とを有していて、
　ＣＰＵ１２０からの制御信号により、Ｄ１０６のカソード側から内部へ変換電圧ＶＡ又はＶＢを切り換えて供給する構成となっており、
　ＣＰＵ１２０は無線部１１８が基地局からの送信信号を受信したことを検出すると、ＲＡＭ１２３に受信するメッセージの記憶のために、ＲＡＭ１２３の書込み動作に必要な第２の動作保証電圧ＶＢ　を出力すべく、ＴＲ１１２に対し制御信号を送出し、
　制御部（ＣＰＵ）１２０の制御信号により、ＲＡＭ１２３のデータの書込み及び読出し時には、前記ＤＣ／ＤＣコンバータ部１００に第２の保証電圧ＶＢ　（ＶＢ　＞ＶＡ　）を出力させて、ＤＥＣ１１９，ＣＰＵ１２０，ＬＣＤ１２１，ＲＯＭ１２２及びＲＡＭ１２３を動作させ、
　基地局からの送信信号がなくなり、無線部１１８がノイズの受信状態になる待受状態では、ＣＰＵ１２０は、ＴＲ１１２への制御信号の送信を停止し、この結果、ＴＲ１１２の動作は復旧し、ＤＣ／ＤＣコンバータ部１００の出力電圧はＴＲ１１２の動作以前の第１の動作保証電圧ＶＡ　に戻ることが記載されている。
　
　以上を勘案すると、刊行物１には、
　受信信号を表示するＬＣＤ１２１と、内部を制御する制御部（ＣＰＵ）１２０と、電池（ＢＡ）１０１の電圧を予め定められた第１の動作保証電圧ＶＡ又は第２の動作保証電圧ＶＢ（ＶＢ＞ＶＡ）に変換して内部に供給するＤＣ／ＤＣコンバータ部１００とを含み、前記制御部（ＣＰＵ）１２０は前記ＤＣ／ＤＣコンバータ部１００が出力する電圧を電源として動作する個別選択呼出受信機であって、
　前記ＤＣ／ＤＣコンバータ部１００は、ＣＰＵ１２０からの制御信号にもとづき第１の動作保証電圧ＶＡと第１の動作保証電圧ＶＡより高い第２の動作保証電圧発生ＶＢを切り替えて出力し、
　基地局からの送信信号を受信したことを検出する無線部１１８と、
　前記制御信号を出力して前記ＤＣ／ＤＣコンバータ部１００を制御し、待受状態は前記ＤＣ／ＤＣコンバータ部１００に前記第１の動作保証電圧ＶＡを出力させ、前記無線部１１８が基地局からの送信信号を受信したことを検出したときは、前記第２の回路群の動作の開始から終了の期間、即ち、ＲＡＭ１２３に受信するメッセージを記憶するために必要な期間、前記ＤＣ／ＤＣコンバータ部１００に第２の動作保証電圧発生ＶＢを出力させる前記制御部（ＣＰＵ）１２０と、を備え、
　前記制御部（ＣＰＵ）１２０は、ＲＡＭ１２３に受信するメッセージを記憶するために、前記ＤＣ／ＤＣコンバータ部１００に前記第２の動作保証電圧発生ＶＢを出力して、個別選択呼出受信機の内部のデコーダ（ＤＥＣ）１１９，ＬＣＤ１２１，ＲＯＭ１２２及びＲＡＭ１２３を動作させる個別選択呼出受信機（以下、「刊行物１記載の発明」という。）が記載されている。
　
（２）また、原査定の拒絶の理由に引用された刊行物２（特開平４−２１１５２８号公報）には、以下の事項が記載されている。
ア．「【請求項１】ディジタル無線信号とされている呼出番号信号およびメッセージ信号を含む選択呼出信号を受信する手段と、受信された前記呼出番号信号および前記メッセージ信号を解読する手段と、自己呼出信号を記憶する手段と、前記記憶手段から前記自己呼出信号を読み出し前記解読信号からの呼出番号信号が読み出された前記自己呼出番号と一致したとき呼出されたことを通報する手段と、表示手段と、前記解読手段からのメッセージ信号を受けて前記表示手段に前記メッセージ信号のメッセージを表示させる制御手段と、継続的に動作しその直流出力を前記解読手段に印加する第１のＤＣ−ＤＣコンバータと、前記第１のＤＣ−ＤＣコンバータの動作期間よりも短い期間動作しその直流出力を少なくとも前記制御手段に印加する第２のＤＣ−ＤＣコンバータとを含むことを特徴とする無線選択呼出受信機。」
　
イ．「【産業上の利用分野】本発明は無線選択呼出受信機に関し、特に消費電力が低減された無線選択呼出受信機に関する。」
　
ウ．「【発明が解決しようとする課題】本発明の第１の目的は、電池寿命を長く保つことのできる無線選択呼出受信機を提供することにある。」
　
エ．「【課題を解決するための手段】本発明の無線選択呼出受信機は、常時あるいは電源スイッチがオンとされているときはＳＢモードとされ、無線呼出システムの無線基地局装置から送信される選択呼出信号の受信を停止している。ＢＳモードにおいて、無線部が選択呼出信号を受信し、復調する。波形整形回路が復調された選択呼出信号を波形整形してデコーダに送る。デコーダは、波形整形された選択呼出信号を解読し、解読された呼出番号信号がＰＲＯＭに記憶されている自己呼出番号と一致したとき、メッセージ信号をＣＰＵに出力する。メッセージ信号の送出により無線選択呼出受信機はＭＰモードに移る。ＣＰＵは、ＭＰモードにおいて、メッセージ信号に関して誤り検出，誤り訂正等の信号処理を行い、メッセージ信号を信号処理して得られたメッセージデータを呼出通報手段に出力する。すると無線選択呼出受信機はＭＤモードに移り、ＣＰＵは、無線選択受信機にセットされている指示に従って、メッセージ表示等の呼出通報を行う呼出通報装置の動作指示を行う。」
　
オ．「【発明の効果】以上説明したように本発明による無線選択受信機は、スタンバイモード等の負荷の小さいときには効率のよい小容量の第１のＤＣ−ＤＣコンバータを使用し、メッセージ表示モード等の負荷の重いときのみ負荷が大きいときに効率のよい大容量の第２のＤＣ−ＤＣコンバータを併用することによって、無線選択受信機の電池寿命を長くすることができ、運用コストの低減、一電池当りの使用時間の延長による電池取替頻度の減少による利便成功上の効果は大きい。」
　
カ．「【請求項４】　前記第２のＤＣ−ＤＣコンバータは、鳴音モードを含むメッセージ表示モードおよびメッセージ処理モードにおいて動作しその他のモードにおいては動作しないことを特徴とする請求項１記載の無線選択呼出受信機。」
　
キ．「【請求項１５】ディジタル無線信号とされている呼出番号信号およびメッセージ信号を含む選択呼出信号を受信し解読する手段と、解読された呼出番号信号が予め記憶されている自己呼出番号と一致したとき呼出されたことを通報する手段と、解読されたメッセージ信号を処理する手段と、前記処理手段から得られたメッセージを表示する手段と、前記通報手段に電源供給する第１のＤＣ−ＤＣコンバータとを含む無線選択受信機において、前記第１のＤＣ−ＤＣコンバータよりも短い期間のみ動作し、且つ前記第１のＤＣ−ＤＣコンバータとは異なる出力電圧を発生する第２のＤＣ−ＤＣコンバータをさらに含むことを特徴とする無線選択呼出受信機。」
　
ク．「【００１１】本発明の無線選択呼出受信機は、電池による一次電源の他に、二次電源であるＤＣ−ＤＣコンバータを少なくとも２つ有している。第１のＤＣ−ＤＣコンバータは小容量のものを、第２のＤＣ−ＤＣコンバータは大容量のものを用い、ともに電池電圧を所定の電圧に変換する。無線選択受信機の各回路は、一次および二次電源のうち一方の電源から各回路に適合した電力の供給を受ける。二次電源から電力を供給される回路において、電源となる第１のＤＣ−ＤＣコンバータおよび第２のＤＣ−ＤＣコンバータは動作モードによって選択される。例えば、ＳＢモードのような軽負荷のときには、動作する回路（デコーダ）は小容量の第１のＤＣ−ＤＣコンバータから電力の供給を受け、ＭＤモードのような重負荷の場合には、動作する回路（ＣＰＵ）は第１のＤＣ−ＤＣコンバータの他に、大容量の第２のＤＣ−ＤＣコンバータからも電力の供給を受ける。また重負荷のとき動作する回路は、第２のＤＣ−ＤＣコンバータからのみ電力供給を受けてもよい。」
　
ケ．「【００１３】本発明の第２の実施態様においては、第１および第２のＤＣ−ＤＣコンバータの出力電圧は異なる。そして、第１のＤＣ−ＤＣコンバータは、軽負荷の動作を行う回路の電源とされ、常時あるいは電源スイッチがオンとされたとき動作している。第２のＤＣ−ＤＣコンバータは、重負荷の回路の電源とされ、重負荷の回路が動作するときだけ、これらの回路に第１のＤＣ−ＤＣコンバータより高い出力電圧で電源を供給する。」
　
コ．「【００４０】図５を参照すると、本発明の第２の実施例は、図１の実施例における出力５ＶのＤＣ−ＤＣコンバータ３の代りに出力３ＶのＤＣ−ＤＣコンバータ３Ａを用い、その出力をデコーダ４にのみ供給している。また出力５ＶのＤＣ−ＤＣコンバータ１０は、デコーダ４には電源を供給しない。それ以外は図１の実施例と同様の構成であり、第１の実施例と同様の動作を行う。この実施例は、デコーダ４が電源電圧３Ｖという、他の回路より低い電源電圧で動作可能であることから実現可能となった。このデコーダ４に供給されるＤＣ−ＤＣコンバータ３Ａの電源電圧を低くすることにより、常時使用されるＳＢモードおよびＢＳモードにおける消費電力の低減効果が大きくなる。このように、本実施例はＤＣ−ＤＣコンバータ３Ａと１０の出力電圧を異ならせている。」
　
　上記ア．〜オ．の事項を参照すると、刊行物２には、
　ディジタル無線信号とされている呼出番号信号およびメッセージ信号を含む選択呼出信号を受信する手段と、受信された前記呼出番号信号および前記メッセージ信号を解読する手段と、自己呼出信号を記憶する手段と、前記記憶手段から前記自己呼出信号を読み出し前記解読信号からの呼出番号信号が読み出された前記自己呼出番号と一致したとき呼出されたことを通報する手段と、表示手段と、前記解読手段からのメッセージ信号を受けて前記表示手段に前記メッセージ信号のメッセージを表示させる制御手段と、継続的に動作しその直流出力を前記解読手段に印加する第１のＤＣ−ＤＣコンバータと、前記第１のＤＣ−ＤＣコンバータの動作期間よりも短い期間動作しその直流出力を少なくとも前記制御手段に印加する第２のＤＣ−ＤＣコンバータとを含むことを特徴とする無線選択呼出受信機が記載されている。
　
　また、上記カ．〜コ．の、特に、事項を参照すると、刊行物２には、
　無線選択呼出受信機において、
　第１および第２のＤＣ−ＤＣコンバータの出力電圧は異なり、
　第１のＤＣ−ＤＣコンバータは、軽負荷の動作を行う回路の電源とされ、常時あるいは電源スイッチがオンとされたとき動作し、
　第２のＤＣ−ＤＣコンバータは、重負荷の回路の電源とされ、重負荷の回路が動作するとき、例えば、メッセージ表示モードおよびメッセージ処理モード、ＭＤモードのような場合に、これらの回路に第１のＤＣ−ＤＣコンバータより高い出力電圧で電源を供給することが記載されている。
　
　以上を勘案すると、刊行物２には、
　第１のＤＣ−ＤＣコンバータと、第１のＤＣ−ＤＣコンバータより高い出力電圧で電源を供給する第２のＤＣ−ＤＣコンバータとを備え、
　常時は、第１のＤＣ−ＤＣコンバータが軽負荷の動作を行う回路の電源とされ、
　重負荷の回路が動作するメッセージ表示モードおよびメッセージ処理モードでは、第２のＤＣ−ＤＣコンバータは、重負荷の回路の電源とされ、第２のＤＣ−ＤＣコンバータが第１のＤＣ−ＤＣコンバータより高い出力電圧で電源を供給する無線選択呼出受信機（以下、「刊行物２記載の発明」という。）が記載されている。
　
（３）また、原審の拒絶査定の備考欄に周知技術として引用された刊行物３（特開平２−１９００３７号公報）には、以下の事項が記載されている。
ア．「【請求項１】基地局から送信された選択呼出信号を受信し、この選択呼出信号中の個別呼出符号を予め設定してある自機の個別番号符号が一致した場合に呼出報知を行い、前記選択呼出信号中のメッセージ符号を表示部に表示し、メッセージ表示後、一定時間操作が行われなかった場合には自動的に表示を消すメッセージ表示機能付選択呼出受信機において、表示中の前記メッセージが自動的に消えた後、読出操作を行うと最後に表示していた前記メッセージを表示することを特徴とする選択呼出受信機。」
　
イ．「【産業上の利用分野】本発明は、表示機能付選択呼出受信機及び無線機に関する。（従来の技術）従来、選択呼出受信機及び無線機は、鳴音または発光により呼出を行っていたが、近年呼出の際に伝送されたメッセージを表示することのできる新しい選択呼出受信機及び無線機が開発されている。この様な選択呼出受信機及び無線機を用いる選択呼出方式では、基地局で呼出を行うために、個別番号符号と伝送メッセージを符号化したメッセージ符号とからなる選択呼出信号を作成し、この選択呼出信号を呼出そうとする選択呼出受信機及び無線機が属するグループの空いている呼出ワードに挿入して送出する。選択呼出受信機及び無線機では受信した呼出信号の個別番号符号を自機と照合し、両者が一致した場合に鳴音または発光により呼出があった旨を加入者に知らせ、メッセージ符号を解読して表示部に表示する。また、伝送されたメッセージ符号は選択呼出受信機及び無線機内に設けられた記憶装置に記憶される。そして、記憶されたメッセージ符号は、加入者が読出操作を行うことにより、メッセージを表示させることができる。この手順を第３図のフローチャートを用いて説明する。まず、加入者が読出操作を行うと、最新メッセージを表示、これと同時にタイムカウンタをスタートさせる。ここで切替スイッチを押すと、次に記憶されているメッセージを表示する。もし、切替スイッチが一定時間押されなかった場合にはオートリセット機能が動作して表示を消す。このため、メッセージを読み出している時に表示が消えてしまった場合には、そのメッセージを再表示させるために、数回切替スイッチを押さなければいけないという問題があった。」
　
ウ．「【発明が解決しようとする課題】以上述べた様に、表示していたメッセージが消えてしまった場合に、そのメッセージを再表示させるためにはそのメッセージが最新のメッセージでない場合、数回切替スイッチを押さなければならなかった。そこで、本発明ではこれらの問題点を除去し、オートリセット機能によって表示が消えてしまった場合には、一定時間の間は最新メッセージではなく、表示中だったメッセージを表示する選択呼出受信機及び無線機を提供することを目的とする。」
　
エ．「【課題を解決するための手段】本発明の第１の発明は、基地局から送信された選択呼出信号を受信し、この選択呼出信号中の個別呼出符号を予め設定してある自機の個別番号符号が一致した場合に呼出報知を行い、前記選択呼出信号中のメッセージ符号を表示部に表示し、メッセージ表示後、一定時間操作が行われなかった場合には自動的に表示を消すメッセージ表示機能付選択呼出受信機において、表示中の前記メッセージが自動的に消えた後、読出操作を行うと最後に表示していた前記メッセージを表示することを特徴とする選択呼出受信機である。また、本発明の第２の発明は基地局から送信された情報を受信し、この情報を表示部に表示し、前記情報表示後、一定時間操作が行われなかった場合には自動的に表示を消す無線機において、表示中の前記情報が自動的に消えた後、スイッチ操作を行うと最後に表示していた前記情報を表示することを特徴とする無線機である。」
　
オ．「【発明の効果】以上述べた様に、本発明の選択呼出受信機及び無線機ではオートリセット機能によって表示が消えた場合には、一定時間内にスイッチ操作を行うと最新メッセージではなく、オートリセット機能が働く前に表示していたメッセージを表示するため、メッセージを再表示させるためのスイッチを押す回数を減らすことができ、利用者にとって使い勝手の良い選択呼出受信機及び無線機を提供することができる。」
　
カ．「【第３頁左上欄第１行〜１８行】また、表示部１０の表示は何ら操作がされないまま一定時間が過ぎると、電池消耗を避けるためオートリセット機能が働いて、メッセージの表示が消える様になっている。…また、切替スイッチ１１が押されなかった場合にはタイムカウンタによりある一定時間が経過した場合にはオートリセット機能が働いて表示部１０の表示を消す。」
　
　上記ア．〜オ．の事項を参照すると、刊行物３には、
　基地局から送信された選択呼出信号を受信し、この選択呼出信号中の個別呼出符号を予め設定してある自機の個別番号符号が一致した場合に呼出報知を行い、前記選択呼出信号中のメッセージ符号を表示部に表示し、メッセージ表示後、一定時間操作が行われなかった場合には自動的に表示を消すメッセージ表示機能付選択呼出受信機において、表示中の前記メッセージが自動的に消えた後、読出操作を行うと最後に表示していた前記メッセージを表示することを特徴とする選択呼出受信機が記載されている。
　
　また、上記カ．の事項を参照すると、刊行物３には、
　表示部１０の表示は何ら操作がされないまま一定時間が過ぎると、電池消耗を避けるためオートリセット機能が働いて、メッセージの表示が消える様になっており、切替スイッチ１１が押されなかった場合に、タイムカウンタによりある一定時間が経過した場合にはオートリセット機能が働いて表示部１０の表示を消すことが記載されている。
　
　以上を勘案すると、刊行物３には、
　タイムカウンタとオートリセット機能とを備え、表示部１０の表示は何ら操作がされない場合、あるいは、切替スイッチ１１が押されなかった場合には、タイムカウンタによりある一定時間が経過すると、電池消耗を避けるため、オートリセット機能が働いて、表示部１０のメッセージの表示を消す選択呼出受信機（以下、「刊行物３記載の発明」という。）が記載されている。
　
３．対比・判断
（対比）そこで、本願発明と刊行物１記載の発明とを比較すると、
　
ア．刊行物１記載の発明の「受信信号を表示するＬＣＤ１２１」は、本願発明の「受信メッセージを表示する表示部」に対応する。
　
イ．刊行物１記載の発明の「内部を制御する制御部（ＣＰＵ）１２０」は、表示部を含む、個別選択呼出受信機の内部を制御しているから、本願発明の「前記表示部を駆動する制御部」に対応する。
　
ウ．刊行物１記載の発明の「電池（ＢＡ）１０１の電圧を予め定められた第１の動作保証電圧ＶＡ又は第２の動作保証電圧ＶＢ（ＶＢ＞ＶＡ）に変換して内部に供給するＤＣ／ＤＣコンバータ部１００」は、本願発明の「電池の電圧を昇圧するＤＣ／ＤＣコンバータ」に対応する。
　
エ．刊行物１記載の発明の「内部を制御する制御部（ＣＰＵ）１２０」は、前記ＤＣ／ＤＣコンバータ部１００が出力する電圧を電源として動作するから、
　少なくとも前記制御部が前記ＤＣ／ＤＣコンバータが出力する電圧を電源として動作する点では、本願発明の「制御部」に対応する。
　
オ．刊行物１記載の発明の「前記ＤＣ／ＤＣコンバータ部１００は、ＣＰＵ１２０からの制御信号にもとづき第１の動作保証電圧ＶＡと第１の動作保証電圧ＶＡより高い第２の動作保証電圧発生ＶＢを切り替えて出力」する点は、本願発明の「ＤＣ／ＤＣコンバータは与えられた制御信号にもとづき第１の電圧および第１の電圧より高い第２の電圧を切り替えて出力」する点に対応する。
　
カ．刊行物１記載の発明の「基地局からの送信信号を受信したことを検出する無線部１１８」は、本願発明の「メッセージを受信したことを検出する受信検出手段」に対応する。
　
キ．刊行物１記載の発明の「前記制御信号を出力して前記ＤＣ／ＤＣコンバータ部１００を制御し、待受状態は前記ＤＣ／ＤＣコンバータ部１００に前記第１の動作保証電圧ＶＡを出力させる制御部（ＣＰＵ）１２０」は、本願発明の「前記制御信号を出力して前記ＤＣ／ＤＣコンバータを制御し、常時は前記ＤＣ／ＤＣコンバレータに第１の電圧を出力させる電圧制御手段」に対応する。
　
ク．刊行物１記載の発明の「前記無線部１１８が基地局からの送信信号を受信したことを検出したとき」は、本願発明の「前記受信検出手段がメッセージを受信したことを検出したとき」に対応する。
　
ケ．刊行物１記載の発明の「ＤＣ／ＤＣコンバータ部１００に第２の動作保証電圧発生ＶＢを出力させる前記制御部（ＣＰＵ）１２０」は、
　前記無線部１１８が基地局からの送信信号を受信したことを検出したときに、前記第２の回路群の動作の開始から終了の期間、即ち、ＲＡＭ１２３に受信するメッセージを記憶するまでの所定時間、第２の動作保証電圧発生ＶＢを出力させるものであるから、
　前記受信検出手段がメッセージを受信したことを検出したときは、所定期間、前記ＤＣ／ＤＣコンバータに前記第２の電圧を出力させる点では、本願発明の「電圧制御手段」と対応する。
　
コ．刊行物１記載の発明の「個別選択呼出受信機」は、本願発明の「無線選択呼出受信機に対応する。
　
　したがって、両者は、以下の点で一致し、以下の各点で相違する。　
＜一致点＞
　受信メッセージを表示する表示部と、前記表示部を駆動する制御部と、電池の電圧を昇圧するＤＣ／ＤＣコンバータとを含み、少なくとも前記制御部は前記ＤＣ／ＤＣコンバータが出力する電圧を電源として動作する無線選択呼出受信機であって、
　前記ＤＣ／ＤＣコンバータは与えられた制御信号にもとづき第１の電圧および前記第１の電圧より高い第２の電圧を切り替えて出力し、
　メッセージを受信したことを検出する受信検出手段と、
　前記制御信号を出力して前記ＤＣ／ＤＣコンバータを制御し、常時は前記ＤＣ／ＤＣコンバータに前記第１の電圧を出力させ、前記受信検出手段がメッセージを受信したことを検出したときは、所定時間、前記ＤＣ／ＤＣコンバータに前記第２の電圧を出力させる電圧制御手段とを備えた無線選択呼出受信機。
　
＜相違点＞
（ア）ＤＣ／ＤＣコンバータが出力する第２の電圧を、
　請求項１に係る発明では表示部を駆動する制御部が電源とするのに対し、
　刊行物１記載の発明では内部を制御する制御部（ＣＰＵ）や表示部ＬＣＤのみならず、デコーダＤＥＣやメモリＲＯＭやＲＡＭをも動作させる点。
　
（イ） メッセージを受信したときに第２の電圧を出力させる所定期間が、
　請求項１に係る発明では、経過時間を計測する計時手段よる計測結果にもとづく一定時間であるのに対し、
　刊行物１記載の発明は、計時手段を備えておらず、所定期間はＲＡＭに受信するメッセージを記憶するまでの期間に過ぎない点。
　
（２）判断
　上記の相違点（ア）については、
　刊行物２には、
　第１のＤＣ−ＤＣコンバータと、第１のＤＣ−ＤＣコンバータより高い出力電圧で電源を供給する第２のＤＣ−ＤＣコンバータとを備え、
　常時は、第１のＤＣ−ＤＣコンバータが軽負荷の動作を行う回路の電源とされ、重負荷の回路が動作するメッセージ表示モードおよびメッセージ処理モードでは、第２のＤＣ−ＤＣコンバータは、重負荷の回路の電源とされ、第２のＤＣ−ＤＣコンバータが第１のＤＣ−ＤＣコンバータより高い出力電圧で電源を供給する無線選択呼出受信機が記載されており、
　
　刊行物２には、重負荷の回路が動作するメッセージ表示モードおよびメッセージ処理モードにおいて、メッセージ表示モードおよびメッセージ処理モードに対応した重負荷の回路の電源として、第１のＤＣ−ＤＣコンバータより高い出力電圧を出力する第２のＤＣ―ＤＣコンバータの出力を供給することが開示されている。
　
　このように、刊行物２には、メッセージ表示モードに対応する回路が重負荷であること、及び、メッセージ表示モードの重負荷に対応した回路に高い出力電圧を供給することが示されているから、
　
　刊行物２記載の発明を参照すれば、
　ＤＣ／ＤＣコンバータにより電池の電圧を昇圧して、常時の状態と重負荷の状態に対応して、第１の電圧と第２の電圧を切り替えて出力する刊行物１記載の発明において、
　制御部（ＣＰＵ）や表示部ＬＣＤのみならず、デコーダＤＥＣやメモリＲＯＭやメモリＲＡＭにも第２の電圧を供給する構成に代えて、
　とくに、メッセージ表示モードに対応する重負荷の回路に着目して、表示部を駆動する制御部に高電圧である第２の電圧を供給するように変更することは、当業者が容易に想到することができたことである。
　
　また、上記の相違点（イ）については、
　刊行物３には、
　タイムカウンタとオートリセット機能とを備え、何ら操作がされない場合、あるいは、切替スイッチ１１が押されなかった場合には、タイムカウンタによりある一定時間が経過すると、電池消耗を避けるため、オートリセット機能が働いて、表示部１０のメッセージの表示が消される選択呼出受信機が記載されており、
　
　刊行物３には、選択呼出受信機において、タイムカウンタ（計時手段）を備え、タイムカウンタによりある一定時間を計測して自動的に表示部のメッセージの表示を消して電池消耗を避ける（表示部の駆動を停止する）ことが開示されている。
　
　このように、刊行物３には、選択呼出受信機の表示部の表示を一定時間が経過すると消去して電池消耗を避けること、及び、一定時間を計測するためにタイムカウンタ（計時手段）を備えることが示されているから、
　
　刊行物３記載の発明を参照すれば、
　刊行物１記載の発明において、表示部を駆動する制御部に第２の電圧を供給するように変更した場合において、電池の消耗を避けるために、
　表示に必要な一定時間だけ第２の電源を供給するように変更すること、及び、一定時間を計測するための計時手段を備えるようにすることは、当業者が容易に想到することができたことである。
　
　したがって、本願発明は、刊行物１乃至刊行物３記載の発明に基いて当業者が容易に発明をすることができたものと認められる。
　　
４．むすび
　以上のとおりであるから、本願発明は、刊行物１乃至刊行物３記載の発明に基いて当業者が容易に発明をすることができたものであるので、特許法第２９条第２項の規定により特許を受けることができない。
　よって、結論のとおり審決する。